(57)【要約】【課題】表示装置の視認性を維持しつつ演出効果を高めた遊技部品を提供する。【解決手段】中央飾り３０は、上下左右の枠部３１〜３４を有して前後に奥行きのある額縁状に形成され、枠部の後面側に取り付けられる液晶表示パネル１５の表示画像を、枠壁に囲まれた表示開口３５を通して遊技者に視認させる。本発明の枠構造では、枠部３３に、光源６１と、光源から出射された照明光を透過させる透光窓６５とからなる照明装置６０が備えられており、照明装置６０は、枠壁４１〜４４に囲まれた表示開口３５の内部を照明し、遊技機の前方に着席した遊技者に光源６１が視認されないように構成される。【選択図】図５
2008229139.tif 000002
【特許請求の範囲】
【請求項１】
上下左右の枠部を有して前後に奥行きのある額縁状に形成され、前記枠部の後面側に取り付けられて所定の図柄を表示する表示装置の表示を、枠壁に囲まれた表示開口を通して遊技者に視認させるように構成された遊技部品の枠構造であって、
前記枠部に、光源と、前記枠壁に設けられて前記光源から出射された照明光を透過させる透光窓とからなる照明装置を備え、
前記照明装置は、前記表示開口に囲まれた前記表示開口の内部を照明し、前記遊技機の前方に着席した遊技者に前記光源が視認されないように構成したことを特徴とする遊技部品の枠構造。
【請求項２】
前記照明装置は、前記遊技機の前方に着席した遊技者から前記表示装置の表示面に反射した前記光源の反射像が視認されないように構成したことを特徴とする遊技部品の枠構造。
【請求項３】
前記照明装置は、前記遊技機の前方に着席した遊技者から前記光源の像が直接視認されないように構成したことを特徴とする請求項１または請求項２に記載の遊技部品の枠構造。
【発明の詳細な説明】
【技術分野】
【０００１】
本発明は、上下左右の枠部を有して前後に奥行きのある額縁状に形成され、枠部の後面側に取り付けられて所定の図柄を表示する表示装置の表示を、枠壁に囲まれた表示開口を通して遊技者に視認させるように構成された遊技部品の枠構造に関する。
【背景技術】
【０００２】
近年のパチンコ機やアレンジボール機、スロットマシンなどの遊技機は、遊技を複雑化し遊技の展開状況に応じた多種多様な演出表示を可能とするため、ＴＦＴ（薄膜トランジスタ）形態の液晶表示パネルやプラズマディスプレイ（ＰＤＰ）、ＣＲＴ（ブラウン管）、ドットマトリクス形態の液晶パネルなどのような表示装置を備え、マイクロコンピュータにより制御される遊技機が広く用いられるようになっている。このような遊技機では、表示装置が前後に奥行きのある額縁状に形成された枠部の後面側に取り付けられ、アニメーション画像や模様、数字等の図柄を枠壁に囲まれた表示開口を通して遊技者に視認させるように構成される。
【０００３】
例えば、パチンコ機やアレンジボール機等の弾球遊技機では、遊技者が対面する遊技盤の中央部に中央飾りと称される額縁状の遊技部品が設けられ、この中央飾りの裏面側に設けられた表示装置の表示画像を、中央の表示開口を通して遊技者に視認させるように構成されている。中央飾りの前面側には当該遊技機のテーマに応じたデザインが施され、ランプやＬＥＤ等を点滅させて演出効果を高める種々の装飾が施されている。すなわち、このような遊技機に用いられる枠部材は、単に表示装置の表示領域のみを視認させる枠フレームとしての機能に加えて、枠部に施したデザインや照明装置等により装飾装置としての機能を備えて構成される（例えば、特許文献１を参照）。
【０００４】
【特許文献１】特開２００４−６５４４６号公報
【発明の開示】
【発明が解決しようとする課題】
【０００５】
近年では表示装置の大型化が進展しており、限られたスペース内で装飾装置としての演出効果を高めたいという要望がある。一方で、演出効果を高める目的で表示開口の内側に照明装置を設けると、光源から出射された光の像が液晶表示パネルを見つめる遊技者の目に入り、表示画像が見づらいという問題が生じる。このため液晶表示パネルの視認性を確保しつつ演出効果を高めることができる遊技部品の枠構造が求められていた。
【０００６】
本発明はこのような課題に鑑みてなされたものであり、表示装置の視認性を維持しつつ演出効果を高めた遊技部品の枠構造を提供することを目的とする。
【課題を解決するための手段】
【０００７】
上記目的を達成するため、本発明は、上下左右の枠部を有して前後に奥行きのある額縁状に形成され、枠部の後面側に取り付けられて所定の図柄を表示する表示装置（例えば、実施形態における液晶表示パネル１５）の表示を、枠壁に囲まれた表示開口を通して遊技者に視認させるように構成された遊技部品（例えば、実施形態における中央飾り３０）の枠構造である。この枠構造では、枠部に、光源と、枠壁に設けられて光源から出射された照明光を透過させる透光窓とからなる照明装置（例えば、実施形態における枠内照明装置６０）が備えられており、照明装置は、枠壁に囲まれた表示開口の内部を照明し、遊技機の前方に着席した遊技者に光源が視認されないように構成される。
【０００８】
ここで、照明装置は、遊技機の前方に着席した遊技者から表示装置の表示面（前述した液晶表示パネルやプラズマディスプレイ等の表示装置の表示面をいい、保護用のプレートが設けられる場合にはプレート前面が含まれる）に反射した光源の反射像が視認されないように構成することが好ましい。
【０００９】
また、照明装置は、遊技機の前方に着席した遊技者から光源の像が直接視認されないように構成することが好ましい。
【発明の効果】
【００１０】
本発明に係る遊技部品の枠構造では、枠部に照明装置が備えられており、照明装置は、枠壁に囲まれた表示開口の内部を照明し、遊技機の前方に着席した遊技者に光源が視認されないように構成される。すなわち、枠部に設けられた照明装置を点灯させると上下左右の枠壁に囲まれた枠内が明るくなるが、表示開口の前方かつ外側に位置する枠部の前面側は照明されない。このため、照明光源を点灯または点滅作動させることで奥行きのある立体的な遊技演出を行うことができる。また、遊技機の前方に着席した遊技者に光源が視認されないため、光源から出射された光の像が遊技者の目に入って表示画面が見づらくなることがない。従って、演出効果の向上と表示装置の視認性とを両立させることができる。
【００１１】
ここで、遊技機の前方に着席した遊技者から表示装置の表示面に反射した光源の反射像が視認されない構成によれば、光源から出射され表示装置により反射された反射光が、表示面に映り込んで表示が見づらくなることがない。
【００１２】
また、遊技機の前方に着席した遊技者から光源の像が直接視認されない構成によれば、液晶パネルの表示画面を注視する遊技者の視野内に目障りな輝点が生じることがない。
【００１３】
従って、本発明によれば、表示装置の視認性を維持しつつ演出効果を高めた遊技部品の枠構造を提供することができる。
【発明を実施するための最良の形態】
【００１４】
以下、図面を参照して本発明の好ましい実施形態について説明する。本発明を適用した遊技機の一例としてパチンコ機ＰＭの正面図を図１に示しており、まずこの図を参照してパチンコ機ＰＭの全体構成について概要説明する。
【００１５】
パチンコ機ＰＭは、外郭方形の所定枠サイズに構成されて縦向きの固定保持枠をなす外枠１の開口前面に、これに合わせた方形枠サイズに構成された開閉搭載用の前枠２が互いの正面左側上下に配設された枠ヒンジ機構３ａ，３ｂにより前方に横開き開閉および着脱が可能に取り付けられ、正面右側に設けられた施錠装置４を利用して常には外枠１と係合連結された閉止状態に保持される。
【００１６】
前枠２の前面側では、前側面域に合わせた方形状のガラス扉５および球皿ユニット６が正面左側部に設けられたヒンジ機構７ａ，７ｂ，７ｃにより横開き開閉および着脱が可能に組付けられ、常には施錠装置４を利用して閉鎖状態に保持される。球皿ユニット６の右側下部には遊技球の発射操作を行う発射ハンドル８が設けられている。前枠２の上部には、遊技盤１０を着脱可能に収容保持する収容枠が設けられており、この収容枠に所定のゲージ設定で構成された遊技盤１０が着脱可能に取り付けられ、常には閉鎖保持されるガラス扉５のガラス窓を通して前面の遊技領域ＰＡを遊技者に臨ませるようになっている。
【００１７】
遊技盤１０は、一般的には、積層合板の表面にセルが粘付された化粧板１１を基板とし、その前面側に内外の案内レールに囲まれて遊技球が転動可能な略円形の遊技領域ＰＡが形成される。遊技領域ＰＡには、図示省略する多数本の遊技釘や風車とともに、固定入賞具や可動入賞具等の各種の入賞具１３、中央に表示開口を有して額縁状に形成され化粧板１１を表裏貫通する装飾枠装着孔に取り付けられた中央飾り３０、中央飾り３０の裏面側に取り付けられ遊技展開に応じた画像を表示する液晶表示パネル１５などが設けられ、遊技領域ＰＡの下端部には、入賞具１３に落入せずに落下した遊技球を遊技盤１０の裏面に排出させるアウト口１６が設けられている。ガラス扉５および遊技盤１０の各部には、ＬＥＤやランプ等を用いた種々の電飾装置１８，１８…が設けられている。
【００１８】
遊技盤１０の後方に位置する前枠２の裏面側には、詳細図示を省略するが、裏セット盤と称される機構セット盤が取り付けられており、ここに、球貯留タンクや球払出装置などの賞球の払出機構、遊技盤１０から排出されたセーフ球やアウト球等の遊技済み球を遊技施設の回収装置に導く遊技済み球排通路などの球処理機構が設けられている。また、裏セット盤の後面各部には、パチンコ機ＰＭの作動を統括的に制御する主制御基板、主制御基板における遊技展開状況に応じて液晶表示パネル１５、電飾装置１８、スピーカ、後に詳述するシャンデリア装置１００等の作動を制御し遊技展開を視覚的・聴覚的に演出する演出制御基板、主制御基板からの指令信号に基づいて球払出装置の作動を制御する払出制御基板、発射ハンドル８からの操作信号に応じて遊技球発射装置の作動を制御する発射制御基板などの種々の回路基板が取り付けられ、これらがコネクタケーブルで接続されてパチンコ機ＰＭが作動可能に構成される。
【００１９】
このように概要構成されるパチンコ機ＰＭにあって、図２〜図４に中央飾り単体の図面を示すように、中央飾り３０は、上下左右の枠部３１，３２，３３，３４からなる枠フレーム３０Ｆを有して前後に奥行きのある額縁状に形成される。中央飾り３０の中央部には、各枠部の内壁面である枠壁４１，４２，４３，４４に囲まれて前後に連通する表示開口３５が形成され、枠フレーム３０Ｆの後面側に取り付けられる液晶表示パネル１５の表示画像を、表示開口３５を通して遊技者に視認させるように構成される。なお、図２は中央飾り３０の正面図、図３は右斜め前方から見た斜視図、図４は図２中のIV−IV矢視方向に見た中央飾り３０の側断面図である。
【００２０】
中央飾り３０は、図１にも示されるように、遊技盤１０の中央に設けられて遊技者が対面する、いわばパチンコ機ＰＭの顔であり、当該パチンコ機のテーマに合わせて趣向を凝らしたデザインが施される。例えば、本実施形態に示すパチンコ機ＰＭは、博物館ないし美術館をイメージして構成されており、上方枠部３１には後に詳述するシャンデリア型の電気装飾装置（以下、シャンデリア装置という）１００が設けられ、下方枠部３２には鎧を身にまとった騎士のフィギュアを配した振り分け機構４５が設けられている。
【００２１】
下方枠部３２は、枠壁４２が前後３段に分割されて階段状に形成されるとともに、各段に遊技球が左右に転動可能なステージ４６ａ，４６ｂ，４６ｃが形成されている。右方枠部３４には、所定条件下において開閉される可動入賞装置５５が設けられており、可動入賞装置５５に入賞した遊技球が右方枠部３４に設けられたワープ通路を通って枠内に導入され上段ステージ４６ａに導かれる。
【００２２】
上段ステージ４６ａに導かれた遊技球は、この上段ステージ４６ａを左右に転動し、左右側部に設けられたいずれかの転落口から導出口４７ａ，４７ｂを通って中段ステージ４６ｂに導出され、この中段ステージ４６ｂを左右に転動する間に下方枠部の中央に設けられた振り分け機構４５により下段ステージ４６ｃへの誘導と入賞口４８への誘導とに振り分けられる。下段ステージ４６ｃに誘導された遊技球はこの下段ステージ４６ｃを左右に転動し、ステージ中央部に形成された導出開口４９から遊技盤の盤面に落下する。一方、中央ステージ４６ｂの中央後方に設けられた入賞口４８に誘導された遊技球は、中央飾り内部に設けられた入賞検出器に検出された後遊技盤裏面に排出され、他の入賞球やアウト球とともに裏セット盤の遊技済み球排出通路を介して遊技島の回収樋に排出される。
【００２３】
左方枠部３３には、神殿の柱をモチーフとした半円柱状のレンズ部材５１を有する上下２段の透過照明型の柱状装飾装置５２、及び上下のレンズ部材５１，５１の間から前方に突出す小判状柱状部の前端に宝石をモチーフとしたダイヤカットのレンズ部材５３が設けられた透過照明型の小判状装飾装置５４が設けられている。一方、右方枠部３４には、前述した可動入賞装置５５が設けられており、可動入賞装置５５に入球した遊技球が右方枠部３４の内部に形成されたワープ通路を通って枠内に導入され上段ステージ４６ａに導かれる。
【００２４】
また、図３及び図４に示されるように、左右の枠部３３，３４には、それぞれ柱状装飾装置５２及び可動入賞装置５５の後方に位置して枠内照明装置６０，６０が設けられている。図２中に付記したV−V矢視の断面図を図５に示し、左方枠部３３に設けられた枠内照明装置６０の部分拡大図を図６に示す。なお、枠内照明装置６０は左右の枠部３３，３４に略左右対称に設けられており、本実施形態においては、図６に示す左方枠部側の枠内照明装置について説明し重複説明を省略する。
【００２５】
枠内照明装置６０は、光源６１と、枠壁４３（４４）に設けられて光源６１から出射された照明光を透過させる透光窓６５とを主体として構成される。各図には光源６１として表面実装型のＬＥＤ（発光ダイオード）を用いた構成例を示し、例えば単色又は多色のＬＥＤを透光窓６５，６５…の形成位置に合わせてプリント配線基板に実装して電飾基板６２を形成し、この電飾基板６２を枠部３３（３４）の基板支持ボス６７に支持固定して左右の枠部３３，３４に配設される。
【００２６】
枠壁４３，４４は、電飾基板６２の前方及び枠内方を覆う透明樹脂材料製の側枠部材６３と、アーチ状の透光窓６５，６５…が複数形成されて側枠部材６３の前方及び枠内方を覆う遮光性樹脂材料製の窓枠部材６４とからなり、左右の枠壁４３，４４が、ともに表示開口３５の前方に向けてわずかに開く浅い傾斜角を有して形成される。そして、この枠内照明装置６０では、照明光源６１が枠壁４１，４２，４３，４４に囲まれた表示開口３５の内部を照明し、パチンコ機ＰＭの前方に着席した遊技者に光源６１が視認されないように構成される。
【００２７】
すなわち、図５及び図６中に、光源６１から出射してパチンコ機ＰＭの前方に向かう直接光Ｌdの軌跡と、後方に位置する液晶表示パネル１５に反射された反射光Ｌrの軌跡とを付記するように、枠内照明装置６０は、光源６１から出射された光のうち出射角度が小さい光が窓枠部材６４により遮光されて透光窓６５を透過せず、パチンコ機ＰＭの前方に設けられた遊技席に着席する遊技者を直接照明しないように、換言すれば、遊技席に着席した遊技者から光源６１の像が直接視認されないように設定される。このため、液晶パネル１５の表示画面を注視しつつ遊技を行う遊技者の視野内に、目障りな輝点（光源６１の像）を生じることがない。
【００２８】
一方、光源６１から出射され、液晶表示パネル１５に反射された反射光Ｌrは、枠内照明装置６０が設けられた左方枠部３３（右方枠部３４）と表示開口３５を挟んで対峙する右方枠部３４（左方枠部３３）及び隣接する上下の枠部３１，３２の内面に照射され、遊技席に着席する遊技者を直接照明しないように、すなわち、表示パネルに反射した光源６１の反射像が視認されないように構成されている。このため、液晶表示パネル１５の表示画面に光源６１の反射像が映り込んで表示画面が見づらくなることがない。
【００２９】
また、枠内照明装置６０が枠壁４３，４４に設けられているため、光源６１を点灯させると各光源６１から出射された直接光Ｌd及び反射光Ｌrが、それぞれ対向する枠部３４，３３及び隣接する上下の枠部３１，３２を照明して、上下左右の枠壁４１〜４４に囲まれた枠内全体を明るく照明するが、表示開口３５の外側かつ前方に位置する中央飾り３０の前面側は照明されない。このため、光源６１を点灯または点滅作動させることにより前後に奥行きのある立体的な遊技演出を行うことができ、液晶表示パネル１５の視認性を確保したうえで演出効果を向上させることができる。
【００３０】
枠内照明装置６０が設けられた左右枠部と繋がる上方枠部３１に、シャンデリア装置１００が設けられている。シャンデリア装置１００は、大別的には、シャンデリア本体１０１と、シャンデリア本体１０１の後方に位置する上方枠部３１に設けられてシャンデリア本体１０１を後方から照明するシャンデリア照明装置１０５と、上方枠部３１の後面側に設けられてシャンデリア本体１０１を左右に揺動させるシャンデリア揺動機構１０７とを主体として構成される。シャンデリア装置１００近傍の拡大図を図７、シャンデリア本体１０１の斜視図を図８、シャンデリア本体１０１の背面図を図９、図９中に付記したX−X矢視の側断面図を図１０に示す。
【００３１】
シャンデリア本体１０１は、第１シャンデリア構成部材１１０、第２シャンデリア構成部材１２０、及び第３シャンデリア構成部材１３０からなり、これらを連結した上下３段の連結構成になっている。各段のシャンデリア構成部材１１０，１２０，１３０は、それぞれフレーム部材１１０Ｆ，１２０Ｆ，１３０Ｆと、各フレーム部材の盤面を上方から覆う遮光性の化粧部材１１０Ｔ，１２０Ｔ，１３０Ｔとを主体とし、第３シャンデリア構成部材１３０については、フレーム部材１３０Ｆの下側に化粧部材１３０Ｂが装着されて構成される。
【００３２】
各段のフレーム部材及び化粧部材は、シャンデリア構成部材１１０，１２０，１３０が上段から下段に向けて段階的に広がるように設定され、大きさや装飾部材の数量及び配置が相違するが、各要素の基本構成は同様である。そこで図１１及び図１２に第３シャンデリア構成部材１３０における上面側の斜視図及び下面側の斜視図を例示し、この第３シャンデリア構成部材１３０のフレーム部材１３０Ｆを例として説明すると、半円盤状ないし多角形盆状の基盤部１３１と、この基盤部１３１から半径方向外方に突出して放射状に延びる複数のアーム部１３２、及び光拡散性を有して各アーム部１３２の先端に設けられ周方向に並んで扇状に配設された複数の装飾体１３３などから構成される。フレーム部材１１０Ｆ，１２０Ｆ，１３０Ｆは、例えばポリカーボネート（ＰＣ）やアクリル樹脂（ＰＯＭ）、ＡＢＳ樹脂等の透明な樹脂材料を用い、射出成型等の成形手段により各段ごとに一体に形成される。
【００３３】
各フレーム部材の基盤部１１１，１２１，１３１は、その半径寸法が下段に向かうにつれて大きく設定され、アーム部１１２，１２２，１３２の本数及びその先端に設けられた装飾体１１３，１２３，１３３の個数も下段に向かうにつれて多くなるように、すなわちシャンデリア構成部材の外形が下段に向けて段階的に広がるように構成される。本実施形態では、第１シャンデリア構成部材１１０から順に５個、８個、１１個の装飾体を設けた構成例を示す。
【００３４】
第２シャンデリア構成部材１２０のフレーム部材１２０Ｆ（以下、第２フレーム部材という、他のフレーム部材についても同様に称呼する）には、基盤部１２１から上方に突出して側面視クランク状に曲折された舌片状の連結アーム１２４が設けられ、第１フレーム部材１１０Ｆの基盤部１１１には、軸受ブッシュ１２６を介して連結アーム１２４を相対揺動自在に連結支持する短円筒状の第１節点１１５が形成されている。また第３フレーム部材１３０Ｆには、基盤部１３１から上方に突出して舌片状の連結アーム１３４が設けられ、第２フレーム部材１２０Ｆの基盤部１２１には、軸受ブッシュ１３６を介して連結アーム１３４を相対揺動自在に連結支持する短円筒状の第２節点１２５が形成されている。また第３フレーム部材１３０Ｆには、基盤部１３１から後方に突出して円柱状の被動突起１３５が設けられている。
【００３５】
各フレーム部材において基盤部１１１，１２１，１３１から半径方向外方に突出して放射状に延び、基盤部と装飾体１１３，１２３，１３３とを結ぶアーム部１１２，１２２，１３２は、側断面視において滑らかなＳ字状に形成される。上述したように、シャンデリア装置１００では、基盤部、アーム部及び装飾体を、透明な樹脂材料により一体のフレーム部材として形成しており、基盤部〜アーム部〜装飾体が境界無く連続して繋がっている。また樹脂材料の屈折率は空気の屈折率より大きいため、アーム部に入射した光は空気との境界面（内表面）で反射しアーム内部を伝播する。このため、アーム部１１２，１２２，１３２は、単に装飾体１１３，１２３，１３３を基板部から離隔して扇状に配設させる支持構造としての機能のみならず、基盤部と装飾体とを光学的に繋いで光を導くライトガイドとしても機能し、後方の照明光源１５０から出射された照明光が、アーム部１１２，１２２，１３２を通って装飾体１１３，１２３，１３３の内部に導かれるようになっている。
【００３６】
装飾体１１３，１２３，１３３は、宝石をモチーフとした多面体（多面カット粒状体）であり、例えば、高さ×幅×奥行きが２０×１５×１０mm程度の大きさの立体形状に形成される。ここで、上記のような立体形状を射出成型により中実の立体に構成しようとすると、溶融樹脂の凝固過程における収縮により肉厚の厚い中央部分が窪んで形状が歪む「ひけ」の問題生じる。一方、「ひけ」を回避するため装飾体の内部に矩形の空洞部を形成すると、装飾体が透明であるがゆえに内部が透けて見え、空洞部の存在が違和感をもって認識される。
【００３７】
そこで、シャンデリア装置１００では、図１３(ａ)(ｂ)に装飾体単体での正面図(ａ)、及び装飾体を前後中央で切断した断面図(ｂ)を示すように、装飾体１１３，１２３，１３３の内部に形成されるひけ防止用の空洞部１１３ａ，１２３ａ，１３３ａの上部形状を、装飾体の輪郭形状に合わせるとともに、カット面が接する稜線に合わせて形成している。このため、パチンコ機前方の遊技席に着席した遊技者には、たとえ空洞部１１３ａ，１２３ａ，１３３ａが視認されても、その境界線が多面体の輪郭形状の一部、あるいはカット模様の一部と認識され、違和感を生じさせることがない。なお、空洞部の形状は、装飾体の輪郭形状と完全な相似形状でなくてもよく、遊技者の目につきやすい部分（例えば比較的急峻な傾斜線の部分等）について、装飾体の外形輪郭線に概略沿ったものであれば上記効果を得ることができる。
【００３８】
第１，第２，第３フレーム部材１１０Ｆ，１２０Ｆ，１３０Ｆの盤面を上方から覆う化粧部材１１０Ｔ，１２０Ｔ，１３０Ｔも各段の基本構成は同様であり、例えば図１１及び図１２に示した第３シャンデリア構成部材１３０の化粧部材１３０Ｔを例に説明すると、基盤部１３１の盤面を上方から覆う蓋部１３７と、基盤部１３１の外周側に配設される周壁部１３８とからなり、例えばＡＢＳ樹脂のナチュラル材を用いて射出成型等により形成され、表面に金色又は銀色の反射膜が蒸着されて構成される。周壁部１３８には、光を透過させるアーチ状の透光部１３８ａが複数設けられており、化粧部材１３０Ｔの後方から照射された照明光が各透光部１３８ａを通って前方の装飾体１３３に照射されるように構成される。蓋部１３７の上面は、山谷の稜線が放射状に広がる鋸歯状に形成されており、光を散乱させる反射面が形成される。
【００３９】
また、第３フレーム部材１３０Ｆの下面側に設けられた化粧部材１３０Ｂは、基盤部１３１の盤面を下方から覆う蓋部１４７、基盤部１３１の外周側に配設される周壁部１４８を有して下方に凸の半円盤状ないしドーム状に形成され、化粧部材１３０Ｔ等と同様の樹脂材料を用い同様の反射膜を蒸着して構成される。周壁部１４８には、光を透過させるアーチ状の透光部１４８ａが複数設けられており、化粧部材１３０Ｂの後方から照射された照明光が各透光部１４８ａを通って前方の装飾体１３３に照射されるように構成される。蓋部１４７の下面は山谷の稜線が放射状に広がる鋸歯状に形成されている。これにより、基盤部１３１の上下の盤面が化粧部材１３０Ｔ，１３０Ｂに覆われて遊技者に視認されることがなく、良好な美観と装飾体１３３の効率的な照明とを両立させることができる。
【００４０】
このように各部が構成されるシャンデリア本体１０１において、第１，第２，第３の各フレーム部材１１０Ｆ，１２０Ｆ，１３０Ｆにそれぞれ化粧部材１１０Ｔ，１２０Ｔ，１３０Ｔ及び１３０Ｂを装着固定することで、第１，第２，第３シャンデリア構成部材１１０，１２０，１３０が形成される。そして、第１フレーム部材の第１節点１１５に軸受ブッシュ１２６を介して座金付止めネジ等により第２フレーム部材の連結アーム１２４を枢結することで、第１シャンデリア構成部材１１０に対して第２シャンデリア構成部材１２０が相対揺動自在に吊り下げ支持され、第２フレーム部材の第２節点１２５に軸受ブッシュ１３６を介して座金付止めネジ等により第３フレーム部材の連結アーム１３４を枢結することで第２シャンデリア構成部材１２０に対して第３シャンデリア構成部材１３０が相対揺動自在に吊り下げ支持される。
【００４１】
そして、第１シャンデリア構成部材１１０の化粧部材１１０Ｔに後方に突出成型された円筒状の固定ボス１１４，１１４を上方枠部３１のレンズ壁１５５にネジ固定し、このレンズ壁１５５を上方枠部３１に取り付けることでシャンデリア本体１０１が上方枠部３１に取り付けられる。
【００４２】
シャンデリア本体１０１が取り付けられる上方枠部３１の枠壁４１は、シャンデリア本体１０１の上方に位置する中央枠壁４１ａ，４１ａと、その左右に形成される側部枠壁４１ｂ，４１ｂとからなり、中央枠壁４１ａ，４１ａが上段の装飾体１１３の上部を左右から挟み込んでシャンデリア本体１０１の上方を覆う屋根状に構成される。中央枠壁４１ａ及び側部枠壁４１ｂの枠壁内面には、凹凸が形成されるとともに金色または銀色の反射膜が蒸着され、光を乱反射する反射鏡が形成される。中央枠壁４１ａ，４１ａは、下方に広がって分散配置される装飾体１１３，１２３，１３３の広がりに合わせて形成され、中央上部で交わる左右の中央枠壁４１ａ，４１ａの交差角度が鋭角に設定されている。シャンデリア本体１０１の後方に、シャンデリア照明装置１０５が設けられている。
【００４３】
シャンデリア照明装置１０５は、上方枠部３１の枠内に設けられた照明光源１５０と、照明光源１５０の前方を覆って配設されるレンズ壁１５５とを主体として構成される。レンズ壁１５５は、シャンデリア本体１０１の後方に位置する第１照明レンズ部１５６と、第１照明レンズ部１５６の左右に設けられた第２照明レンズ部１５７，１５７とからなり、薄い乳白透明の樹脂材料により形成される。第１照明レンズ部１５６は、比較的粗めのダイヤカットレンズであり、シャンデリア本体１０１の配設位置及び広がり形状並びに中央枠壁４１の屋根形状に合わせたアーチ状に形成される。第２照明レンズ部１５７は、第１照明レンズ部１５６よりも目の細かいダイヤカットレンズであり、第１照明レンズ部１５６よりも小型のアーチ状に形成される。レンズ壁１５５の前面側には、第１照明レンズ部及び第２照明レンズ部のアーチ形状に合わせた枠状のレンズ枠１５８が装着固定され、各照明レンズ部１５７，１５６，１５７がこのレンズ枠１５８により仕切られている。
【００４４】
照明光源１５０は、その外観斜視図を図１４に示すように、複数の第１光源１５１ａ及び第２光源１５１ｂが設けられた第１電飾基板１５２と、複数の第２光源１５１ｃが設けられた第２電飾基板１５３とからなり、第１電飾基板１５２が第１照明レンズ部１５６の後方、第２電飾基板１５３，１５３が左右の第２照明レンズ部１５７の後方に位置する上方枠部３１に取り付けられて構成される。第１，第２光源は、ランプやＬＥＤ等種々の発光体を用いることができるが、本実施形態では、第１光源１５１ａとしてフルカラーのＬＥＤ、第２光源１５１ｂ，１５１ｃとして単色のＬＥＤを用い、各ＬＥＤを各電飾基板に表面実装して構成している。
【００４５】
これらの光源１５１（１５１ａ，１５１ｂ，１５１ｃ）は、図１４中に二点鎖線で付記付記するように、第１照明レンズ部１５６及び第２照明レンズ部１５７のアーチ形状に合わせて各照明レンズ部を後方から照明するように配置される。また第１電飾基板１５２の光源１５１ａ，１５１ｂは、第１，第２，第３シャンデリア構成部材１１０，１２０，１３０の配設位置に合わせて配置される。
【００４６】
具体的には、第１光源１５１ａが、連結アーム１２４，１３４を挟む左右の側部後方に位置し、上下方向では各段の基板部と蓋部の間（１１１と１１７、１２１と１２７、１３１と１３７の各間）、すなわち、後方に開く第１，第２，第３シャンデリア構成部材１１０，１２０，１３０の内部を後方から照明するように構成される。また第２光源１５１ｂが、連結アーム１２４，１３４を挟む左右の側部後方に位置し、上下方向では下段の蓋部材と上段の基板部との間（１３７と１２１、１２７と１１１の各間）及び蓋部材１１７の上方、すなわち、第１，第２，第３シャンデリア構成部材１１０，１２０，１３０の間及び第１シャンデリア構成部材１１０の上方を後から照明するように構成される。
【００４７】
このため、第１及び第２電飾基板１５２，１５３の第２光源１５１ｂ，１５１ｃを点灯させると、シャンデリア本体１０１の後方において各第１照明レンズ部１５６及び第２照明レンズ部１５７が照明され、シャンデリア本体１０１の背景として３箇所のレンズ部１５７，１５６，１５７全体がアーチ状に発光される。また、各照明レンズ部を透過した光が、上方枠部３１の中央枠壁４１ａおよび側部枠壁４１ｂの反射鏡面により多方向に乱反射され枠内全体が照明される。
【００４８】
一方、第１電飾基板１５２の第１光源１５１ａを点灯させると、各光源１５１ａから出射され第１照明レンズ部１５６を透過した照明光が、第１シャンデリア構成部材１１０，第２シャンデリア構成部材１２０，第３シャンデリア構成部材１３０の内部を後方から照明する。ここで、各段のシャンデリア構成部材１１０，１２０，１３０には、光を透過するアーチ状の透光部１１８ａ，１２８ａ，１３８ａが形成されており、透光部を通った照明光（直接光）が、周方向に並んで扇状に配設された多数の装飾体１１３，１２３，１３３に照射される。また、基板部１１１，１２１，１３１の後端面及びアーム部近傍の立設壁面から入射してフレーム部材１１０Ｆ，１２０Ｆ，１３０Ｆの内部を伝播する照明光（内部伝播光）が、基盤部から各アーム部１１２，１２２，１３２を通って各装飾体１１３，１２３，１３３に導かれ各装飾体を内部から照明する。また、各光源１５１ａから斜め前方に出射され、蓋部１２７，１３７の表面で多方向に反射された照明光（反射光）が、各装飾体１１３，１２３，１３３に照射される。
【００４９】
このため、第１光源１５１ａが点灯されると、各シャンデリア構成部材に設けられた多数の装飾体１１３，１２３，１３３が、透光部を通った直接光により照明され、透明材料で形成された多面体による透過光及び拡散光により装飾体を立体的に発光させることができる。また、各アーム部１１２，１２２，１３２を通って導かれた内部伝播光によって各装飾体１１３，１２３，１３３が内部からも照明されるため、照明効率を向上させることができるとともに、装飾体内部での多重反射により装飾体全体を明るく発光させることができる。さらに、蓋部１２７，１３７の表面で多方向に反射された反射光によって各装飾体が照明されるため、複数段のシャンデリア構成部材の各装飾体を直接光や内部伝播光と異なる角度から照明することができ、照明効率を向上させるとともに装飾体の立体感を向上させた演出効果を発揮させることができる。
【００５０】
また、上方枠部３１の中央枠壁４１ａ，４１ｂに凹凸を有して奥行きのある反射鏡が形成され、左右の中央枠壁４１ａ，４１ａが装飾体１１３の上部を左右から挟み込んでシャンデリア本体１０１の上方を覆う屋根状に構成されている。このため、装飾体１１３，１２３，１３３により拡散された散乱光が、反射鏡面に反射されて多方向に拡散され、奥行きのある立体的な光の場を演出することができる。また、第１，第２，第３シャンデリア構成部材の各段に扇状に配設された装飾体が下方に向けて広がって配設され、その上方を覆う中央枠壁４１ａ，４１ｂが装飾体の広がりに合わせて形成されているため、中央枠壁からほぼ全ての装飾体を見ることができる。換言すれば、多数の装飾体により上方に拡散された拡散光のほぼ全てが左右の中央枠壁４１ａ，４１ａに到達して反射される。従って、より複雑かつ立体的な光の場を演出することができ、立体的かつ変化に富んだ演出表現を行うことができる。また、左右の中央枠壁４１ａ，４１ａのなす角度が鋭角に形成されているため、装飾体からの拡散光が左右の枠壁間で多重反射され、中央枠壁４１ａ，４１ａの上端まで枠内全体を明るく照明することができる。
【００５１】
さらに、シャンデリア装置１００では、第１電飾基板１５２に第１光源１５１ａと第２光源１５１ｂの２種類の光源を設け、第１光源１５１ａにフルカラーのＬＥＤを用いている。このため、背景照明とシャンデリア本体照明を個別に行うことができ、シャンデリア本体照明では、各装飾体を任意の色彩で発光させることができる。また、第１及び第２光源１５１ａ，１５１ｂを同時点灯させると、各装飾体１１３，１２３，１３３では、シャンデリア構成部材の後方からの直接光、内部伝播光等による第１光源１５１ａの発光色と、各段のシャンデリア構成部材の間を通って照明される第２照明光源１５１ｂの発光色とが混合され、第１光源１５１ａの発光色とも第２照明光源１５１ｂの発光色とも異なる色彩で、見る場所に応じて色彩が変化するグラデーションを有した発光が視認される。中央枠壁４１ａ，４１ａにおいても同様であり、第１電飾基板１５２の上方に設けられた第２光源１５１ｂの発光色と、多数の装飾体により拡散された第１光源１５１ａの発光色とが混合され、場所に応じた色彩のグラデーションを感得することができる。
【００５２】
例えば、第２光源１５１ｂとして赤色の単色ＬＥＤを用いて赤色発光させ、第１光源１５１ａのフルカラーＬＥＤを青色発光させると、各装飾体１１３，１２３，１３３では、これらの発光色が混合されたピンク色を発色させることができ、中心部で青が強く周縁部で赤が強いグラデーションを形成させることができる。屋根状の中央枠壁４１ａ，４１ａ間においても同様であり、例えば赤色の第２光源に対して第１光源１５１ａを緑色発光させると、全体として黄色を発色させることができ、後方に近い中央枠壁で赤が強く前方で青が強いグラデーションを形成させることができる。従って、既述した各効果に加えて、色彩の混合による発色変化及びグラデーションを伴った立体的な光の場を演出することができる。
【００５３】
さらに、シャンデリア装置１００では、シャンデリア本体１０１がシャンデリア揺動機構１０７により左右に揺動され、さらに演出効果を高めるように構成されている。シャンデリア揺動機構１０７は、その概要構成を図１５に示すように、上方枠部３１の後面側に取り付けられて回転駆動されるモータ１７１、モータ軸に結合された円盤状のクランクフランジ１７２、モータ軸とオフセットされてクランクフランジ１７２の外周部に枢結されたコネクティングアーム１７３、上方枠部３１のスライダ室３１ｓ（図７を参照）に左右方向にのみスライド可能に配設され、コネクティングアーム１７３に枢結されたスライダ１７４、前後に延びる支軸１７５に揺動可能に枢支され一端のピン状突部１７６ａがスライダ１７４のピン受容孔１７４ａに係合された揺動アーム１７６などからなり、揺動アーム１７６の他端に形成された円筒状のボス部１７６ｂにシャンデリア本体１０１の被動突起１３５がブッシュ１７７を介して係合されて構成される。
【００５４】
このように構成されるシャンデリア揺動機構１０７では、モータ１７１が駆動されてクランクフランジ１７２が回転されると、コネクティングアーム１７３を介して連結されたスライダ１７４がスライダ室３１ｓを左右に往復し、このスライダ１７４に係合された揺動アーム１７６が支軸１７５を揺動中心として鉛直面内で左右に揺動される。揺動アーム１７６の揺動はアーム下端のボス部１７６ｂに係合された被動突起１３５を介して第３シャンデリア構成部材１３０に伝達され、シャンデリア本体１０１が揺動される。
【００５５】
ここで、シャンデリア本体１０１は、第１シャンデリア構成部材１１０に第２シャンデリア構成部材１２０、第２シャンデリア構成部材１２０に第３シャンデリア構成部材１３０がそれぞれ揺動可能に吊り下げ支持されている。このため、第３シャンデリア構成部材１３０がシャンデリア揺動機構１０７により左右方向に移動されたときに、第３シャンデリア構成部材１３０が第２節点１２５を中心として相対揺動され、これに伴って第２シャンデリア構成部材１２０が第１節点１１５を中心として第１シャンデリア構成部材１１０に対して相対揺動される。すなわち、シャンデリア装置１００では、シャンデリア本体１０１が一体として左右揺動するのではなく、第１シャンデリア構成部材１１０に対して第２シャンデリア構成部材１２０、第２シャンデリア構成部材１２０に対して第３シャンデリア構成部材１３０が相対揺動して、シャンデリア本体１０１が折れ曲がるように屈折しながら揺動する。
【００５６】
この第２，第３シャンデリア構成部材１２０，１３０の揺動状態は、各シャンデリア構成部材１２０，１３０の質量と第１，第２節点１１５、１２５の静摩擦係数との関係により定まり、微視的にはスティック・スリップを繰り返す揺動運動となる。また、一方のシャンデリア構成部材が揺動すると、その影響を受けて他方も揺動することから、両者の動きは一様でなく、作動ごとに変化の態様が異なる複雑な動きをさせることができる。そして両者をどのように揺動させるかを、軸受けブッシュ１２６，１３６により設定することができる。
【００５７】
例えば、第１節点１１５及び第２節点１２５に設ける軸受ブッシュ１２６，１３６として、硬質ポリウレタンやシリコンゴム等のような摩擦係数が高い材料を用いた場合にはスティック・スリップが明確に現れ、ギクシャクした間欠的な揺動運動をさせることができる。他方、軸受ブッシュ１２６，１３６として高分子ポリエチレンやフッ素樹脂等の低摩擦係数の材料を用いた場合には、スティック・スリップを殆ど起こさない滑らかな揺動運動をさせることができる。また第１，第２節点に摩擦係数が異なる軸受ブッシュを組み合わせて用いること、例えば、第１節点１１５に高摩擦係数、第２節点１２５に低摩擦係数の軸受ブッシュを用いて構成することも可能である。
【００５８】
また、シャンデリア揺動機構１０７では、揺動アーム１７６の揺動中心である支軸１７５と、第１節点１１５及び第２節点１２５とを異なる高さ位置に設定している。具体的には、本実施形態のシャンデリア装置１００では、支軸１７５を第１節点１１５と第２節点１２５の間の高さ位置に設けている。この構成による第２シャンデリア構成部材１２０及び第３シャンデリア構成部材１３０の揺動の様子を図１６(ａ)に模式的に示すように、被動突起１３５が支軸１７５を揺動軸とする揺動アーム１７６により左方に移動されると、第３シャンデリア構成部材１３０が第２節点１２５を中心として左方に揺動され、揺動アーム１７６の腕の長さが連結アーム１３４の腕の長さよりも長いため、第２シャンデリア構成部材１２０も第１節点１１５を中心として左方に揺動される。このとき、第２シャンデリア構成部材１２０と第３シャンデリア構成部材１３０の揺動方向は、ともに左方向で同一であるが、鉛直線Ｌvに対する揺動角度θは、第２シャンデリア構成部材１２０の揺動角度θ2と第３シャンデリア構成部材１３０の揺動角度θ3とが異なった角度となり、シャンデリア本体１０１が屈折しながら同一方向に揺動する。
【００５９】
一方、揺動アームの支軸１７５′を第２節点１２５よりも下側に設けた場合の第２，第３シャンデリア構成部材１２０，１３０の揺動の様子を図１６(ｂ)に示す。この場合、被動突起１３５が揺動アーム１７６′により左方に移動されると、第３シャンデリア構成部材１３０が第２節点１２５を中心として左方に揺動される一方、揺動アーム１７６′の腕の長さが連結アーム１３４の腕の長さよりも短いため、第２シャンデリア構成部材１２０は第１節点１１５を中心として右方に揺動される。すなわち、第２シャンデリア構成部材１２０と第３シャンデリア構成部材１３０の揺動方向が逆方向となり、第２シャンデリア構成部材１２０の揺動角度θ2′と第３シャンデリア構成部材１３０の揺動角度θ3′とが大きく異なった角度となって、シャンデリア本体１０１が深く折れ曲がるように屈折しながら逆方向に相対揺動する。
【００６０】
従って、支軸１７５と、第１及び第２節点１１５，１２５とを異なる高さ位置に設けた構成により、第２シャンデリア構成部材１２０と第３シャンデリア構成部材１３０とが異なる揺動角度で同一方向または逆方向に揺動させることができ、複雑な動きを確実に行わせることができる。
【００６１】
第１〜第３シャンデリア構成部材１１０，１２０，１３０には、光を拡散させる多数の装飾体１１３，１２３，１３３が設けられており、上記のような複雑な揺動に伴って多面カットが施された多数の装飾体による屈折光や拡散光が複雑に変化するとともに、変動する拡散光が他の装飾体や枠壁４１ａ，４１ｂを照明し反射されて、さらに複雑な光の散乱を形成する。従って、シャンデリア本体１０１を上記シャンデリア揺動機構１０７により揺動させることにより、極めて複雑かつ幻想的な演出表現をすることができる。
【００６２】
なお、以上説明した実施形態では、「装飾体」として、ダイヤカットの多面体を用いた構成を例示したが、照明光源１５０から出射された光を多方向に拡散させる光拡散性を有する部材であれば良く、例えば、短冊状の金属片やチェーン等のような不透明材料製の反射体や、ガラスビーズや多面柱状体等のような透明材料性の透過及び屈折体、透明材料の立体内部に光を反射する微小フレークを多数混入した散乱体などであっても良い。また、本実施形態では、シャンデリア本体１０１を３段構成とし、第１シャンデリア構成部材１１０を上方枠部３１に固定配設した構成例を示したが、段数は４段以上としてもよく、最上段のシャンデリア構成部材を揺動可能に配設しても良い。さらに、揺動方向は左右方向に限らず、前後を含む２次元または３次元的に揺動させるものであっても良い。
【００６３】
また、以上説明した実施形態では、本発明をパチンコ機に適用した構成例について説明したが、本発明は種別の異なる他の遊技機、例えばアレンジボール機や雀球遊技機、スロットマシン等についても同様に適用し同様の効果を得ることができる。
【図面の簡単な説明】
【００６４】
【図１】本発明を適用した遊技機の一例として示すパチンコ機の正面図である。
【図２】上記パチンコ機の遊技盤に設けられた中央飾り単体の正面図である。
【図３】上記中央飾りを右斜め前方から見た斜視図である。
【図４】図２中のIV−IV矢視の断面図である。
【図５】図２中のV−V矢視の断面図である。
【図６】中央飾りに設けられた枠内照明装置の部分拡大図（断面図）である。
【図７】中央飾りに設けられたシャンデリア装置近傍部の拡大図である。
【図８】上記シャンデリア装置におけるシャンデリア本体の斜視図である。
【図９】上記シャンデリア本体の背面図である。
【図１０】図９中のX−X矢視の側断面図である。
【図１１】第３シャンデリア構成部材の上面側の斜視図である。
【図１２】第３シャンデリア構成部材の下面側の斜視図である。
【図１３】各シャンデリア構成部材に設けられた装飾体の単体の正面図(ａ)、及びこの装飾体を前後中央で切断した断面図(ｂ)である。
【図１４】シャンデリア照明装置における照明光源の外観斜視図である。
【図１５】シャンデリア揺動機構の構成を説明するための概要構成図である。
【図１６】シャンデリア揺動機構による第２，第３シャンデリア構成部材の揺動形態を模式的に示す説明図であり、(ａ)(ｂ)は揺動アームの支軸位置の違いによる両シャンデリア構成部材の揺動形態の差異を示す。
【符号の説明】
【００６５】
ＰＭ  パチンコ機（遊技機）
１０  遊技盤
１５  液晶表示パネル（表示装置）
３０  中央飾り（遊技部品）
３１，３２，３３，３４  上下左右の枠部
３５  表示開口
４１，４２，４３，４４  上下左右の枠壁
４１ａ  中央枠壁
６０  枠内照明装置（照明装置）
６１  光源
６５  透光窓
１００  シャンデリア装置（電気装飾装置）
１０１  シャンデリア本体
１０５  シャンデリア照明装置
１０７  シャンデリア揺動機構（揺動機構）
１１０  第１シャンデリア構成部材
１２０  第２シャンデリア構成部材
１３０  第３シャンデリア構成部材
１１０Ｆ，１２０Ｆ，１３０Ｆ  フレーム部材
１１０Ｔ，１２０Ｔ，１３０Ｔ，１３０Ｂ  化粧部材
１１１，１２１，１３１  基盤部
１１２，１２２，１３２  アーム部
１１３，１２３，１３３  装飾体
１１３ａ，１２３ａ，１３３ａ  空洞部
１１５  第１節点
１１７，１２７，１３７，１４７  蓋部
１１８，１２８，１３８，１４８  周壁部
１１８ａ，１２８ａ，１３８ａ，１４８ａ  透光部
１２５  第２節点
１５０  照明光源（１５１ａ  第１光源、１５１ｂ  第２光源）
１７５  支軸
１７６  揺動アーム
【図１】
2008229139.tif 000003
【図２】
2008229139.tif 000004
【図３】
2008229139.tif 000005
【図４】
2008229139.tif 000006
【図５】
2008229139.tif 000007
【図６】
2008229139.tif 000008
【図７】
2008229139.tif 000009
【図８】
2008229139.tif 000010
【図９】
2008229139.tif 000011
【図１０】
2008229139.tif 000012
【図１１】
2008229139.tif 000013
【図１２】
2008229139.tif 000014
【図１３】
2008229139.tif 000015
【図１４】
2008229139.tif 000016
【図１５】
2008229139.tif 000017
【図１６】
2008229139.tif 000018